(57)【特許請求の範囲】
【請求項１】
セルを形成する基地局と端末装置とを含んでいて、第１基地局（１０５）が第１変調方法（３０１）だけを支援し、第２基地局（１０４）が前記第１変調方法（３０１）と少なくとも１つの他の変調方法（３０２）とを支援するセルラー無線システムの端末装置に前記セルの選択又は再選択に関する情報を提供する方法において、
前記端末装置に送信される制御情報にて、前記端末装置（１０１）にどの変調方法が周囲の前記基地局により支援されているかを知らせるステップを含み、前記情報は、前記セルの選択または再選択の処理に使用されることを特徴とする方法。
【請求項２】
前記各基地局により支援される変調方法に関する表示を含んでいる一般放送メッセージを前記基地局が送信するように前記端末装置に変調方法が通知されることを特徴とする請求項１に記載の方法。
【請求項３】
前記各基地局が付近にある所定数の他の基地局により支援される変調方法に関する表示を一般放送メッセージで送信することを特徴とする請求項１又は２に記載の方法。
【請求項４】
どの変調方法が前記各基地局により支援されるかを示すために複数の値が前記端末装置に通知され、その値は、それぞれの基地局が前記第１変調方法以外の他の変調方法を支援するか否かを示すと共に、前記セルの、新しいセルを形成する基地局としての適切性が評価されるときに、前記変調方法にどれほどの大きさの重みが与えられるべきかを示すことを特徴とする請求項１乃至３のいずれかに記載の方法。
【請求項５】
前記各基地局の瞬時負荷状態に応じて前記端末装置に通知される少なくとも１つの値が選択されることを特徴とする請求項４に記載の方法。
【請求項６】
どの変調方法を前記各基地局が支援するかを示すために、２つの値が前記端末装置に通知され、そのうちの第１の値はそれぞれの前記基地局が前記第１変調方法以外の他の変調方法を支援するか否かをビット表示による数値で示した値を示し、そのうちの第２の値は、前記各基地局の、新しいセルを形成する基地局としての適切性が評価されるときに前記変調方法にどんな大きさの重みが与えられるべきかをビット表示による数値で示した値を示すことを特徴とする請求項４又は５に記載の方法。
【請求項７】
前記第２値は前記各基地局の瞬時負荷状態に応じて選択されることを特徴とする請求項６に記載の方法。
【請求項８】
前記第２値は、前記各基地局が軽負荷であるときには高い値として選択され、前記基地局が重負荷であるときには前記高い値より低い値として選択されることを特徴とする請求項６又は７に記載の方法。
【請求項９】
前記各基地局がどの変調方法を支援するかを示すために１つの値が通知され、それは前記各基地局が前記第１変調方法以外の他の変調方法も支援することを示すことを特徴とする請求項１乃至３のいずれかに記載の方法。
【請求項１０】
前記各基地局がどの変調方法を支援するかを示すために前記１つの値が通知され、それは、ゼロでない値を有するときには前記基地局が前記第１変調方法以外の他の変調方法も支援することを示すことを特徴とする請求項９に記載の方法。
【請求項１１】
前記通知される値は、前記各基地局の新しいセルを形成する基地局としての適切性が決定されるときにどんな高さの重み値が前記変調方法に与えられるべきかを更に示すことを特徴とする請求項９に記載の方法。
【請求項１２】
前記端末装置の新しいセルとなり得るセルの各々に優先順位値が与えられることにより前記端末装置のための前記新しいセルが選択され、その他の変調方法を支援するセルには前記第１変調方法だけを支援するセルより高い優先順位値が与えられ、最高の優先順位値を有する新セルとなり得るセルが前記新しいセルとして選択されることを特徴とする請求項１に記載の方法。
【請求項１３】
前記新しいセルとなる可能性があり、前記第１変調方法以外の他の変調方法を支援するセルには、それがどの変調方法を支援するかにより互いに異なる優先順位値が与えられることを特徴とする請求項１２に記載の方法。
【請求項１４】
セルを形成する基地局と端末装置とを含み、第１基地局（１０５）が第１変調方法（３０１）だけを支援し、第２基地局（１０４）が前記第１変調方法（３０１）と少なくとも１つの他の変調方法（３０２）とを支援するセルラー無線システムであって、前記端末装置に前記セルの選択又は再選択に関する情報を提供するセルラー無線システムにおける基地局（８０１）において、
前記基地局のセル内の端末装置に一般制御情報を伝えるための手段を含んでおり、自局及び周囲の基地局がどの変調方法を支援するかに関する情報を、前記端末装置に伝えられる前記制御情報に包含させるための手段（８０７，８０３ａ）を含み、前記情報は、前記セルの選択または再選択の処理に使用されることを特徴とする基地局。
【請求項１５】
前記基地局の近傍に属する所定数の他の基地局によりどの変調方法が支援されるかに関する情報を前記端末装置に伝えられる前記制御情報に包含させるための手段（８０８，８０７，８０３ａ）を更に含むことを特徴とする請求項１４に記載の基地局。
【請求項１６】
前記基地局のセルで使用される伝送フレームにどれだけの空きスペースがあるかに関する情報を作成するための手段（８０７）と、前記端末装置に伝えられる前記制御情報にそのことを表わす情報を包含させるための手段とを含むことを特徴とする請求項１４に記載の基地局。
【請求項１７】
セルを形成する基地局と端末装置とを含み、第１基地局（１０５）が第１変調方法（３０１）だけを支援し、第２基地局（１０４）が前記第１変調方法（３０１）と少なくとも１つの他の変調方法（３０２）とを支援するセルラー無線システムであって、前記端末装置に前記セルの選択又は再選択に関する情報を提供するセルラー無線システムにおける端末装置（９００）において、
基地局から情報を受け取るための手段（９０１，９０２，９０３）と、
数個の基地局セルの選択、再選択を表す比較情報を作成して処理するための手段（９０８，９０９）とを含み、
前記比較情報は、前記数個の基地局が支援する変調方法についての情報を含み、
前記比較情報の作成において、前記数個の基地局がどの変調方法を支援するかの情報を含めるための手段（９０８、９０９）を含み、
前記比較情報は、前記セルの選択、再選択の処理に使用される
ことを特徴とする端末装置。
【請求項１８】
請求項１７に記載の端末装置において、
ユーザーから指令を受け取るための手段を更に含んでおり、前記端末装置は、前記手段により、前記基地局から受け取った変調情報の少なくとも１つを、前記比較情報の作成時にユーザーにより与えられた指令に含まれている情報と置き換えるようになっていることを特徴とする端末装置。
【請求項１９】
請求項１７に記載の端末装置において、
メモリー手段を更に含んでおり、前記端末装置は、前記基地局から受け取った情報の少なくとも１つを、前記比較情報の作成時に前記メモリー手段から読み出された情報と置き換えるようになっていることを特徴とする端末装置。
【発明の詳細な説明】
【０００１】
【発明の属する技術分野】
本発明は、任意の時における一定のセルラーシステム端末装置が動作するようなセルの選択に関する。本発明は、特に、情報の伝送に関連する種々の機能を提供するセルを有し、端末装置がそれらの機能を利用する種々の能力を持っているようなシステムにおけるセル選択と再選択との最適化に関する。
【０００２】
【従来の技術】
セルラー無線システムは、一定の通達範囲を各々有する不動の基地局と、該基地局及びその通達範囲に関して移動することのできる端末装置とから成っている。通達範囲はセルとも称される。この特許出願では、移動電話を代表的端末装置として扱う。特定の移動電話がオンにされると、それはセル選択を実行する。換言すれば、それは、受信された最良の基地局信号を見つけだそうと試み、その基地局を代表するいわゆるロケーションエリア（ＬＡ）に登録しようと試みる。登録とは、前記基地局に付随するそのロケーションエリアを介して移動電話がコールを受け取ることができることを前記基地局を通してモバイルネットワークに知らせることを意味する。アイドル・モードでは、移動電話は入り電話コールを表わすページング・メッセージと、この移動電話に宛てられている他のメッセージとを発見するために前記基地局から送信されるメッセージを定期的に受け取る。同時に、移動電話は、必要なときに迅速に基地局を変更できるように、他の隣接基地局から送信される信号のパワーを監視する。アイドル・モード又は他の何らかの形のパケット交換接続の間に基地局を変更することはセル再選択と称される。回線交換接続中に基地局を変更することはハンドオーバーとして知られている。
【０００３】
従来技術のセルラーシステムでは、基地局はデータ伝送機能に関して互いに実質的に類似している、即ち、移動電話がどのセル内で動作しているかに関わらず、ネットワークから同じサービスを受ける。例外はセル優先権協定であり、移動電話はそれにより制御されて特定のホームエリアに属するセルで動作し、或いはいわゆるハンドオーバー・セルを避ける。ホームエリア協定では、ユーザーと、セルラーシステムを維持しているオペレータとの間の協定によって移動電話のための地理的に一定のホームエリアが確定される。移動局は、ホームエリア・セルで動作するとき、共通通話料の減額、或いはその他の利益を得る。
【０００４】
従来技術のセルラーシステムでは、端末装置は互いに非常に近いデータ伝送機能を持っている。普通は該システムにおいてたった１種類のエア・インターフェースが確定され、そのエア・インターフェース確定は、送信及び受信のタイミング、利用可能な周波数、データ伝送速度即ち該データ伝送で使われるビットレート、並びに他の対応する機能に関連する。
【０００５】
ＧＳＭシステム（Glocal System for Mobile telecommunications、移動通信用広域システム）、並びにその拡張であるＤＣＳ１８００（Digital Communications System at 1800 MHz、１８００ＭＨｚのディジタル通信システム）のセルを選択するための動作がＥＢＵ（European Broadcasting Union、欧州放送連合）並びにＥＴＳＩ（European Telecommunications Standards Institute、欧州電気通信規格協会）規格ETS 300 535 (GSM 03.22)及びETS 300 578 (GSM 05.08)で確定されている。パケット交換ＧＰＲＳ協定（General Packet Radio Service、一般パケット無線サービス）に関連するセルを選択するための動作は、草案規格GSM 03-64で確定されている；一般的レベルで同じ考慮事項を他のディジタル・セルラーシステムにも応用することができる。セル選択はフィンランド特許出願第FI-970855（ノキアモバイルフォーンズOy）でも論じられている。セルの選択又は再選択は、各セルでの無線通信を一定の基地局が引き受けるので、基地局の選択とも称されて良い。ＧＳＭシステムに加えて、本発明は、例えばＩＳ−１３６規格（Interim Standard 136、暫定規格１３６）に従うセルラーシステムと、計画されているＵＭＴＳシステム（Universal Mobile Telecommunications System、一般移動通信）とに応用され得る。
【０００６】
移動電話がセル内に正常に留まれるようになるためのセルに関する条件が４つある：
−  セルは、使用されるべく選択されたオペレータのネットワークに属していなければならない；
−  ネットワークはセルを閉じてはならない；
−  そのセルにより代表されるロケーションエリアは、各移動電話について定められる禁止されたロケーションエリアのリストに属していてはならない；
−  移動電話と基地局との間の無線経路での減衰は、オペレータにより決定される一定のスレショルドより低くなければならない（略して経路損基準と称される）。
【０００７】
上記の必要条件を満たすセルは適切なセルと称される。移動電話は、オンにされているとき、受信したいわゆるＢＣＣＨ（Broadcast Control CHannel（放送制御チャネル））信号を、その強度の順に走査し、最強の信号を有する適切なセルで動作するようになる。ＢＣＣＨ信号は、そのセルがシステムの観点から適切なセルであるか否かを示す、そのセルに関連する推奨値を含んでいて良い。移動電話は、利用できる適切なセルが無い場合に限って不適切なセルで動作するようになる。この段階はセル選択と称される。
【０００８】
移動局は、無線接続に関して現在のセルより有利な適切なセルが近くにあるか否か定期的に調べ、必要なときにはセル再選択を行う。移動電話は３つの理由：
−  新セルが一定のセル再選択基準に従って現在のセルより良好であること；
−  現在のセルの特性の一部分が変化して該セルが最早適切なセルではなくなり、新しいセルが適当になったこと；或いは
−  現在のセルでのダウンリンク・シグナリング接続が切断されたことを移動電話が発見したこと、
に起因して再接続を実行することができる。
【０００９】
セル選択及びセル再選択は、移動電話により計算される２つのパラメータ、即ち、規格ETS 300 578 (GSM 05.08)で定義されているいわゆるＣ１及びＣ２パラメータ、に基づいている。それらのうち、第１の、Ｃ１パラメータは、受信されたパワー・レベルの最小値と、システムで確定されている移動電話の許容最大送信パワー・レベルと比べての、考慮されている基地局から移動電話が受信するパワー・レベルを表わす。Ｃ２パラメータの値は、Ｃ１パラメータの値と２つの補正係数との影響を受けるが、そのうちの第１は基地局により送信されるオフセット・パラメータであり、第２は移動電話による迅速な連続セル再選択を防止するための遅延である。更にＧＰＲＳシステムではいわゆるＣ３１及びＣ３２パラメータが使用されるが、該パラメータは他の面ではＣ１及びＣ２パラメータと一致するけれども、それらの計算は初期値を利用し、それらは、階層セル構造及びパケット交換接続に特有のものである。
【００１０】
ディジタルセルラーシステムにおいて伝送容量を増大させるために、少なくともデータチャネルに関して、現在のよりも効果的な変調方法に向かう傾向がある。強化形のＧＳＭシステムでは、目的は、ＧＭＳＫ変調（Gaussian Minimum Shift Keying （ガウス最小偏移変調））から、より高いビットレートを可能にする変調方法へ進むことである。以下では、ＱＡＭ変調（Quadrature Amplitude Modulation（直交振幅変調））をこの種の変調方法の例として用いる；ＱＡＭ変調の代替具体例は、少なくともB-O-QAM及びQ-O-QAM（二元オフセットＱＡＭ、四元オフセットＱＡＭ）であり、そのうちの第１のは、ある意味では第２のものの部分集合である。もう一つの適切な新しい変調方法はＣＰＭ（Continuous Phase Modulation（連続位相変調））であり、その実現可能な具体例はπ／４−ＤＢＣＰＭ（Differentially encoded Binary CPM（差動符号化二元ＣＰＭ））である。従来技術では、セル選択での変調変更の効果を考慮に入れた方法或いは装置は知られていない。
【００１１】
【発明が解決しようとする課題】
本発明の目的は、基地局及び端末装置の種々の変調方法を使用する能力を考慮するセル選択及び／又はセル再選択の方法を提示することである。本発明の方法を実際に実行する基地局及び端末装置を提示することも本発明の目的である。
【００１２】
【課題を解決するための手段】
本発明の目的は、基地局から送信される一般的情報に、該基地局と、場合によってはそれを囲む他の基地局とにより支援される変調方法に関する情報も包含させることにより達成され、その場合、端末装置は、新しいセルの基地局が該端末装置に必要とされる変調を支援することとなるように新しいセルを選択することができる。
【００１３】
本発明の方法は、そのセルが当該端末装置の新しいセルとなり得るような基地局により支援されるのがどの変調方法であるかが当該端末装置に知らされるステップを含むことを特徴とする。
【００１４】
本発明は基地局にも関しており、それは、該基地局がどの変調方法を支援するのかということに関する情報を、端末装置に伝えられる制御情報に包含させるための手段を含んでいることを特徴とする。更に、本発明はセルラーシステム端末装置にも関しており、それは、基地局から情報を受け取るための手段と、セル再選択のための数個の基地局を表わす比較情報を作成して処理するための手段とを含んでおり、また、それは該基地局がどの変調方法を支援するかに関する情報を前記比較情報の作成に包含させるための手段を含んでいることを特徴とする。
【００１５】
基地局は、いわゆる放送制御チャネルで、セル内で動作する全ての端末装置に情報を伝える。その情報は、該基地局がどの変調方法を支援するかに関する情報を包含することができる。該端末装置は、可能な新しいセルを選択するとき、可能な新しいセルを優先権の順に置くが、それは、それらの基地局から受信される信号強度と、各基地局がどの変調方法を支援するかということに関する情報との影響を受ける。端末装置は、基地局が一定の目標レベルより良好に受信され端末装置の観点から現在最も有利な変調方法で動作することのできるようなセルを新しいセルとして選択しようと試みる。パケット交換無線接続の場合、端末装置により行われる選択は新しい基地局が提供することのできる伝送容量がどんな高さかにより影響を受け得る。当該端末装置に関して最適とは言えない１つ以上の変調方法を支援する基地局を選択しなければならないならば、該端末装置はなるべく早くもっと適当なセルへ変更しようと試みる。変調方法に関して最適のセルを優先することは、最も単純には、優先度を表わす計算式に該変調方法を表わす係数を包含させることによって実現される。
【００１６】
【発明の実施の形態】
以降、例として提示される好ましい実施態様と添付図面とを参照して本発明をいっそう詳しく説明する。
【００１７】
図において対応する部分に同じ参照数字が使用されている。
【００１８】
始めに、ＧＰＲＳシステムにおける本発明の具体例について説明をする。従来技術によるセル選択及びセル再選択に関する基準とその使用方法とが規格GSM 03.64，バージョン5.0.0，パラグラフ6.5.62において解説されており、それはＣ３１パラメータを計算するための下記の公式を提示している：
C31(s) = RLA(s) - HCS_THR(s)≧ 0            (1a)
C31(n) = RLA(n) - HCS_THR(n)≧ 0            (1b)
【００１９】
両方の式において(s)は現在のセルを示し、(n)は現在のセルの一定の隣接セルを示している。式１ａは、現在のセルに関連するパラメータＣ３１（ｓ）をどの様に計算するかを示しており、式１ｂは現在のセルに隣接するセルに関連するパラメータＣ３１（ｎ）をどの様に計算するかを示している。略称RLAは、Received Level Average（受信レベル平均）という言葉を表わしており、それは、基地局から受信された無線信号の平均パワー・レベルを意味する。HCS-THRはHierarchical Cell Structures THResholdという言葉を表わしていて、必要な最低受信パワー・レベルを意味する。ネットワークはHCS_THR値を端末装置に信号する。同じ規格の同じパラグラフはＣ３２パラメータを計算するための下記の式を与えている：
C32(s) = C1(s) + GPRS_RESELECT_OFFSET(s)                  (2a)
C32(n) = C1(n) + GPRS_RESELECT_OFFSET(n)
- GPRS_RESELECT_XHYST(n)*H(RLA(s) - RXLEV_TRH(s))
- TEMPORARY_OFFSET(n)*H(PENALTY_TIME(n) - T(n))     (2b)
【００２０】
パラメータＣ１及びパラメータTEMPORARY_OFFSET、PENALTY_TIME及びTの計算は、規格GSM 05.08で定義されている。関数H(x)は、x<0のときにH(x) = 0，その他のときはH(x) = 1と定義されている。因数GPRS_RESELECT_OFFSETは、オフセット値と、各セルに関連するヒステリシス係数とを決定する。因数GPRS_RESELECT_XHYSTは、現在のセルで受信される信号パワーRLA(s)がスレッショルド値RXLEV_TRH(s)より大きいときの特別のオフセット値と特別のヒステリシス因数を決定する。ネットワークは、式２ａ及び２ｂに現れる所要のパラメータを端末装置に信号する。
【００２１】
本発明は、ＧＰＲＳシステムにおいて特に有利に実施され、式２ａの右辺に因数MC(s)*MW(s)が加えられ、式２ｂの右辺には対応的に因数MC(n)*MW(n)が加えられる。ここでMCはセルの基地局の変調能力を表わしていて、わずか２つの種類の変調能力しかなければ１ビットで表現することもできる値である。MCビットは、例えば、基地局がGMSK変調だけを支援するならば０であり、もし基地局がGAM変調を支援するならば１である。MWは、セル選択において該変調の重みを表わし、それを表示するために何ビットが使われるかによる値スペースを有する因数である。MWは、例えば、もしそれが６ビットで表示されるならば、０から６３までの値を持つことができる。各セルの実際のMW値は、該セル・システムの操作を担当するオペレータにより行われる選択による。図１に従って、端末装置１０１は普通はMC及びMW値をネットワーク１０２からのシグナリングとして得る。この目的のために、新しいシグナリング・メッセージを作ることが可能であり、或いはMC及びMW値を前に定義されたシグナリング・メッセージの現在は定義されていない部分に包含させる。その様な前に定義されたシグナリング・メッセージは、他の隣接基地局の信号強度を測定するために端末装置が測定しなければならない周波数を基地局が表示する同じメッセージであって良い。MWは一般的に合意された定数値を持つことができ、それは、MW値がネットワークから端末装置へ独立に伝えられないときに、使われる。本発明の式は次の形となる：
C32(s) = MC(s)*MW(s) + C1(s) + GPRS_RESELECT_OFFSET(s)    (2a')
C32(n) = MC(n)*MW(n) + C1(n) + GPRS_RESELECT_OFFSET(n)
- GPRS_RESELECT_XHYST(n)*H(RLA(s) - RXLEV_TRH(s))
- TEMPORARY_OFFSET(n)*H(PENALTY_TIME(n) - T(n))      (2b')
ここで式2b'の中央の行の項を上記の代わりの提案に従って無視することができる。
【００２２】
端末装置により使用される計算式に基地局により支援される変調方法を包含させるもう一つの可能性が図２に示されており、そこでは端末装置１０１は式：
C31(s) = MC(s)*MW(s) + RLA(s) - HCS_THR(s)≧0         (1a')
C31(n) = MC(n)*MW(n) + RLA(n) - HCS_THR(n)≧0        (1b')
に従ってC31パラメータの計算のためにMC及びMW値を使用する。
【００２３】
図３の第３選択肢では、ネットワーク１０２は、新しい変調方法を支援するような基地局１０３及び１０４だけに関する非ゼロMW値を端末装置に伝え、別のMC値は全く不要である：新変調方法を支援する端末装置１０１は、その基地局に関するMW値を何ら受け取っていないので、或いはその基地局に関するMW値がゼロであるので、その基地局１０５が旧変調方法だけを支援することを知る。図３において、第１変調方法３０１は例えばＧＭＳＫ変調であって良く、第２変調方法３０２は例えばＱＡＭ又はＣＰＭ変調であって良い。この可能性をＣ３２又はＣ３１パラメータの計算と結合させることができる。このとき上の式1a'−2b'においてMC値を値１、又はゼロより大きい他の定数値と置き換えることができる。自分自身が新しい変調方法を支援するような端末装置だけが式1a'−2b'を使えることを認識しておかなければならない。他の端末装置は式1a−2bを普通に使用する。
【００２４】
次に、上記実施態様の修正について論じる。パケット交換データ伝送では、ノイズ及び妨害条件の故に、どの変調方法を使用できるか、また周波数及び時間により決定される総容量のうちのどれだけの大きさの部分を一定のときに１つの接続に使用できるかにより送信装置と受信装置との間での伝送速度は大幅に変動する。例として、当該セルのまさに境界又は基地局の直ぐ近くに端末装置を置くことができて、８個のタイムスロットのフレーム長さを有するＴＤＭＡ方法（時分割多元接続）が使用されるセルラーシステムのセルを検討することができる。端末装置が該セルの境界にあって、距離の長さと他の発生源からの干渉に起因して基地局との接続が不十分であるとき、B-O-QAM変調だけを使用できると仮定しなければならない。単一のタイムスロットだけが該接続に割り当てられるとすると、達成可能な伝送速度は例えば１０kbit/sとなり得る。端末装置が基地局の近くにあって、そのことに対応して接続が良好であるとき、Q-O-QAM変調は単一のタイムスロットで60 kbit/sの伝送速度を提供することができる。更に該接続に１フレーム内のもっと多くのタイムスロットを割り当てることができるとすると、基地局の近くで500 kbit/sの最大伝送速度を達成することが可能である。
【００２５】
該接続に割り当てられるタイムスロットの数を増やすことによってパケット交換無線接続の伝送速度を高めることができるためには、該セルで使用されるフレームには占有されていないタイムスロットがなければならない、即ち、セルの負荷は充分に低くなければならない。各セルを代表するセルのMW値は、該セルで使用されるフレーム４０２の中で何個のタイムスロット４０１が使用されているかにより、図４に示されている原理に従って変化することができる：低いMW値MW1は重負荷のセルを表し、高いMW値MW2は軽負荷のセルを表している。これを上記の式1a'及び1b'、又は2a'及び2b'の使用と組み合わせると、これらの式を利用する端末装置が、伝送速度を高める可能性を利用することのできるセルを選択するように、セル選択を制御する。負荷が急速に変動している間に更新されたMW値を持つためには、MW値を非常に頻繁に端末装置に信号するための特別の処置を執る必要があるかも知れない。MW値の代わりに、基地局の負荷及び容量を表わす他の何らかの値が端末装置に信号されるようにしても同じ結果を得ることができ、その場合には、前記の他の値は、例えば、一定の基地局を介して得ることのできるスロットの最高伝送速度、該セルにおいてパケット交換接続に利用することのできるタイムスロットの数、及び、単一の接続に割り当てることのできるタイムスロットの最大数であって良い。端末装置が受信する情報に基づいて、端末装置は、利用可能であると推定される容量を表わす値を計算し、その（適切にスケーリングされた）値を式1a' - 2b'にMC及び／又はMWの代わりに挿入する。
【００２６】
以降では、回線交換接続の場合における本発明の応用を論じる。規格GSM 05.08は、従来技術の端末装置が上記のパラメータC1及びC2をどの様に計算するか定めており、それは、それに基づいて新しいセルを選択する。特にC2パラメータを計算するために次の式が使われる
PENALTY_TIME<>11111のときには
C2(T) = C1 + CELL_RESELECT_OFFSET
- TEMPORARY_OFFSET*H(PENALTY_TIME - T)                (3a)
PENALTY_TIME = 11111のときには
C2 = C1- CELL_RESELECT_OFFSET                              (3b)
ここでステップ関数H(x)は、現在のセルの隣接セルについて
x<0のときには、    H(x) = 0，
x≧0のときには、   H(x) = 1
と定義され、現在のセルについてはH(x) ≡0である。Tは、規格GSM 05.08で定義されている一定のタイマーの値を表わす。
【００２７】
図５に示されているMC及びMW値は、本発明の単純な実施態様に従って上記同様に使用され、その場合にC2パラメータの計算のための式は次のようになる：
PENALTY_TIME<>11111のときには
C2(T) = C1 + MC*MW + CELL_RESELECT_OFFSET
- TEMPORARY_OFFSET*H(PENALTY*TIME - T)          (3a')
PENALTY_TIME = 11111のときには
C2 = C1 + MC*MW - CELL_RESELECT_OFFSET                  (3b')
【００２８】
パラメータ値C2の計算は、現在のセル(s)及びその隣接セル(n)についての式3a'及び3b'では別に示されていないけれども、この違いは関数Hの定義に含まれている。値MC及びMWは、回線交換接続及びパケット交換接続の両方について同じであっても良く、また回線交換接続及びパケット交換接続について異なる値MC及びMWを使っても良い。最後に述べた選択肢には、基地局により支援される変調方法と種々の交換方式の接続で得られる他のデータ伝送特性との両方に基づいて端末装置がセルを選択するように制御されることができるという利点がある。回線交換接続の場合には、回線交換接続の場合に上記のと類似する代わりの実施態様を提示することが可能である、即ち、値MC及びMWはC1パラメータの計算で既に観察されることができ、或いは各セルについてのMW値は当該セルの負荷状況に応じて変化しても良い。代わりの提案では、パケット交換接続の場合について提示されたセル選択及びセル再選択の基準はそのまま回線交換接続の場合にも応用可能であり、同じ原理を変調依存の場合についても応用することができる。
【００２９】
図６は、変調方法を表わす情報を端末装置に伝えるための本発明のセルラーシステムの基地局の動作を示している。この図では、MC値とMW値との両方が使用され、MW値が負荷状況に応じて決定されるということが仮定されている。基地局自体が新しい変調方法を支援するならば、基地局は段階６０２でMC(s)を１にセットし、段階６０３で負荷状況に応じてMW(s)値を選択する。旧変調方法だけを支援する基地局は、段階６０４及び６０５でMC(s)及びMW(s)をゼロにセットする。MC及びMWをゼロにセットする代わりに、基地局はそれらを全く伝達されない状態にとどめておくこともできる。基地局は段階６０６及び６０７で表わされているポーリングを実行し、隣接する全ての基地局に最新のMC(n)及びMW(n)値を送るように要求する。全ての隣接基地局がポーリングされると、基地局は、段階６０８において一定のシステム情報メッセージで、得られた全ての値を端末装置に伝え、その後に状態６０１に戻る。
【００３０】
図７は、セル再選択における変調方法を表わす情報を利用するための本発明の端末装置の動作を示している。MC(s)、MW(s)並びに全てのMC(n)及びMW(n)値を受け取ったとき、及び、段階７０１及び７０２において隣接する基地局から受信した信号レベルを測定したとき、端末装置は段階７０３でC32パラメータの値を計算し、段階７０４で隣接セルを表わす最高のC32(n)値を選択し、段階７０５でそれを現在のセルのC32(s)値と比較する。その比較で新しいセルの方がもっと適切だと分かったならば、状態７０１に戻る前に段階７０６でそれ自体としては公知のセル再選択が実行される。
【００３１】
図８は、いろいろなチャネルで情報を端末装置に伝えるための並列送信装置８０２ａ、８０２ｂ、８０２ｃ、８０３ｄを含む基地局８０１を略図示している。送信装置８０２ａはセルの一般制御情報の送信に使われるべきものであり、セルの共通制御情報を形成する種々の情報部分を作成するために並列セクション８０３ａ及び８０３ｂを含んでいる。セルの放送制御チャネルで伝達されるメッセージはマルチプレクサ８０４で集められて無線周波数セクション８０５及び送信アンテナ８０６を介して送信される。制御セクション８０７は、基地局全体の動作を制御し、特に自分の変調特性を表わす値MC(s)及びMW(s)をブロック８０３ａに供給する。基地局は、二重データ接続８０８を介して他の基地局及びセルラー・ネットワークの他の不動部分と通信し、基地局はそれから特に付近の基地局のMC(n)及びMW(n)値に関する情報を得る。制御セクション８０７は、基地局のセルで利用できる送信フレーム中に空きスペースがどれだけあるかに関する実時間情報を維持することができ、瞬時負荷状況に基づいてMW(s)値を決定することができる。
【００３２】
図９は、セルラーシステム端末装置９００を略図示しており、そのセクションのうち、この図はアンテナ９０１と、無線周波数セクション９０２と、チャネル復号及び多重分離セクション９０３と、ディスプレイ・ドライバー９０４と、ディスプレイ９０５と、Ｄ／Ａ変換器９０６と、スピーカー９０７と、制御ブロック９０８とを示している。チャネル復号及び多重分離セクション９０３は、コール中に受信された音声信号をＤ／Ａ変換器９０６を介してスピーカー９０７に向けると共に全てのデータ信号を制御ブロック９０８に向ける。基地局を表わしていてセルの放送制御チャネルで伝送される情報は、制御ブロック９０８によりメモリー９０９に蓄積される。本発明に従って動作できるためには、制御ブロック９０８は、基地局を表わすMC及びMW値を受け取って蓄積し、セル再選択の根拠となる値C1，C2，C31及び／又はC32を計算するときにそれを使用することができるようにプログラミングされなければならない。図８及び９は、基地局及び端末装置の、本発明に関して必須のセクションだけを示している。もちろん、装置は他の複数のコンポーネントを含んでいても良い。
【００３３】
上では主としてＧＳＭシステムについて論じた。しかし、本発明の原理は、新しい変調方法が考慮される他のセルラーシステムでも使用できるものである。その場合には新しい変調方法は前記のものとは異なる変調方法であっても良く、セル選択基準は上記のC1，C2，C31及びC32基準とは違っていても良い。本発明を具体化した全てのシステムにおいて２つより多い変調方法があって良く、例えば、全ての異なる変調方法に互いに異なるように優先順位が与えられるように、或いは旧変調方法が新変調方法より低い優先順位を持つけれども、より新しい方法が互いに同様に優先順位を得るように、本発明を応用することができる。上では、重み係数及び変調支援に関連する情報が基地局から端末装置へ２つのパラメータ（MC、MW）として伝えられるということを述べた；或るシステムではこの情報を１つのパラメータの形で、或いは３つ以上のパラメータの形で伝えるのが適切かも知れない。
【００３４】
セル選択に関して、上記のより多いパワーを端末装置に与えることができる。１つの選択肢は、端末装置は上記の式で基地局から伝えられるMC値を使わなくて、その代わりに受信方向で新しい変調の使用に関して端末装置により行われる選択を示す、該端末装置で決定される値を使う（この時、MW値は端末装置が新しい変調を支援することを示す）。或る状況では、例えばキーボードを介して入力される命令で、変調の使用を拒む可能性を端末装置のユーザーに与えるのが有利かも知れない。例えば、或る環境では、問題の変調方法が他の基準では有利に見えるとしても（アイドル状態で測定される）、その変調方法が他の方法よりデータチャネルでの悪い接続品質を与えることが予め分かっているという状況において、そうである。端末装置は、接続品質を表わす種々の測定可能な量に基づいて、またメモリーに蓄積されているデータに基づいて、ユーザーの指令無しでも或る変調方法の使用を一時的に妨げることができる。或る変調方法の妨害は端末装置次第であって良い。端末装置及びユーザーはMW値を変更することを許されても良い。
【００３５】
それ自体としては公知の他のセル選択方法を上記の方法と組み合わせることができる。１つの可能性は、フィンランド特許出願FI 970855で提示されているシングル・ユーザーに関連する情報を、MW及び／又はMC値或いはその変調に影響を及ぼす因数と組み合わせることである。その他に関しては等しい値を有する基地局同士の間でトラフィックをランダムに分割することが望ましい場合、MW値の計算にランダムな因数を使用することも可能である。
【００３６】
上記実施態様は、本発明のある特徴を説明しようとするものであり、本発明を限定するべきものではない。上では、特に端末装置によってのみ開始されるセル再選択を提示したけれども、本発明は、セル再選択がネットワークによって開始される可能性を排除しない。基地局コントローラ、移動電話交換機又はネットワークに属するその他の装置がセル再選択又はハンドオーバーについての指令を端末装置に伝えることができる。その指令は、該端末装置の現在のセルの近隣の他のセル、及びそれらの他のセルで利用できる変調方法に関する情報を含むことができ、端末装置はその様な情報を前もって受け取っているか、或いは該端末装置が受け取った指令に応答して、それは特にその様な情報を受け取って蓄積することもできる。そのとき該端末装置は、ネットワークがその端末装置に他のセルへ変更するようにはっきりと求めているので、現在のセルについてC1，C2，C31及び／又はC32の値を計算しないように、他の点では上記のと同様の計算式を使って、最も有利なセルを見つけだす。
【００３７】
上では、本発明に従ってセルラーシステムでどの多元接続方法が使われるのかということについて説明しなかった。時分割多元接続（ＴＤＭＡ）を利用するセルラーシステムで、また符号分割多元接続（ＣＤＭＡ）を利用するシステムでも、本発明を応用することができる。
【図面の簡単な説明】
【図１】  本発明の方法を示している。
【図２】  本発明の第２の方法を示している。
【図３】  本発明の第３の方法を示している。
【図４】  ＭＷ値を決定する方法を示している。
【図５】  本発明の第４の方法を示している。
【図６】  本発明の基地局の機能を示す流れ図である。
【図７】  本発明の端末装置の機能を示す流れ図である。
【図８】  本発明の基地局を示している。
【図９】  本発明の端末装置を示している。
【図１】
0004693989.tif 000002
【図２】
0004693989.tif 000003
【図３】
0004693989.tif 000004
【図４】
0004693989.tif 000005
【図５】
0004693989.tif 000006
【図６】
0004693989.tif 000007
【図７】
0004693989.tif 000008
【図８】
0004693989.tif 000009
【図９】
0004693989.tif 000010